(57)【特許請求の範囲】
【請求項１】
発信側の指定操作に基づき指定された前記発信側の情報を着信側に通知可能な交換機に、前記着信側の端末として接続される電話装置であって、
前記電話装置には子機が収容され、
前記電話装置は、
発信側の情報と着信音鳴動子機とが関連づけて登録されたテーブルと、
前記交換機から通知された発信側の情報に応じて着信音を制御する着信音制御手段と
を備え、
前記着信音制御手段は、前記テーブルに登録された各子機のうち前記交換機から通知された発信側の情報に応じた子機の着信音を鳴動させることを特徴とする電話装置。
【請求項２】
請求項１において、
前記着信音制御手段は、前記交換機から通知された発信側の情報に応じて着信音のメロディを変えることを特徴とする電話装置。
【発明の詳細な説明】
【０００１】
【発明の属する技術分野】
本発明は、発信者の情報を着信側に通知する電話装置及び交換機及び発信者情報通知システムに関する。
【０００２】
【従来の技術】
近年は、発信者の発信時に前記発信者の電話番号を着信側に通知する発信者電話番号通知サービスが実施されている。こうした発信者電話番号通知サービスを提供する交換機に収容されている電話装置では、着信時に交換機側から通知される発信者電話番号を受信して表示部に表示し、利用者に対し誰からの着信であるかを報知するようにしている。
【０００３】
【発明が解決しようとする課題】
前述の発信者電話番号通知サービスは、発信者の電話番号だけを着信側に通知するものであるため、利用者側から発信者の名前も通知して欲しいとの要望が生じている。
したがって、本発明は、発信者の発信時に着信側へ発信者電話番号及び名前を通知可能にすることを目的とする。
【０００４】
【課題を解決するための手段】
このような課題を解決するために本発明は、発信側の情報を着信側の電話端末に通知可能な交換機に回線を介して電話装置を接続し、かつこの電話装置に子機を収容し、さらに、この電話装置に、発信側の情報と着信音鳴動子機とを関連づけて登録したテーブルと、交換機から通知された発信側の情報に応じて着信音を制御する着信音制御手段とを設け、着信音制御手段は、テーブルに登録された各子機のうち交換機から通知された発信側の情報に応じた子機の着信音を鳴動させるものである。
【０００６】
また、着信音制御手段は、交換機から通知された発信側の情報に応じて着信音のメロディを変えるものである。
【０００８】
【発明の実施の形態】
以下、本発明について図面を参照して説明する。
図４は、本発明に適用される発信者通知サービスの概要を説明する図である。図４において、１０Ａは発側電話装置（第１の電話装置）、１０Ｂは着側電話装置（第２の電話装置）、１００は発側交換機、２００は着側交換機、３００は発信者名ＤＢ（発信者名データベース）をそれぞれ示している。
【０００９】
図４を参照して発信者通知サービスの概要を説明する。
発側電話装置１０Ａは、図４に示すように、「○○株式会社」に配設されて電話番号「０３−ＸＸＸＸ−ＹＹＹＹ」を有する加入者回線に接続され、かつ番号通知方法として「通常通知」が設定されているものとする。ここで、図４の時点(1)で発側電話装置１０Ａが着側電話装置１０Ｂ宛に発信したとすると、発側電話装置１０Ａの電話番号が発側交換機１００を介して着側交換機２００に送られる。着側交換機２００では、この発側電話装置１０Ａの電話番号を時点(2)で発信者名ＤＢ３００に転送する。発信者名ＤＢ３００では、転送されてきた電話番号「０３−ＸＸＸＸ−ＹＹＹＹ」をもとに発信者名を検索し、検索結果の発信者名である、「○○株式会社」を時点(3)で着側交換機２００に転送する。着側交換機２００は、時点(4)における着側電話装置１０Ｂへの着信時に着信情報として、発側電話装置１０Ａの電話番号「０３−ＸＸＸＸ−ＹＹＹＹ」と、発信者名「○○株式会社」とを着側電話装置１０Ｂに通知する。
【００１０】
図５は、着信時における着側交換機２００と着側電話装置１０Ｂの動作を示すシーケンス図である。まず、図５（ａ）に示すアナログ回線の場合の動作から説明する。
図４に示す着側交換機２００は、着側電話装置１０Ｂへの着信に先立ち、ステップＳ１で１６Ｈｚの受信端末起動信号を着側電話装置１０Ｂへ送出する。すると、着側電話装置１０Ｂでは、この受信端末起動信号を検出してステップＳ２で回線の直流ループを閉結する（一次応答信号）。着側交換機２００は、この回線直流ループ閉結に基づく一次応答信号により、着側電話装置１０Ｂ側の応答を認識すると、前述した発側電話装置１０Ａの電話番号と発信者名とをモデム信号によりステップＳ３で着側電話装置１０Ｂに通知する。
【００１１】
着側電話装置１０Ｂは、着側交換機２００から通知された発側電話装置１０Ａの電話番号と発信者名とを受信すると、閉結していた回線の直流ループをステップＳ４で開放する（受信完了信号）。着側交換機２００は、受信完了信号を検出すると、ステップＳ５で着側電話装置１０Ｂへ１６Ｈｚの呼出信号を送出する。この呼出信号により着側電話装置１０Ｂ側が着信鳴動し、着側電話装置１０Ｂの例えばオフフックにより回線の直流ループが閉結されると、この回線直流ループ閉結がステップＳ６で二次応答信号として着側交換機２００へ伝達され、着側交換機２００では着側電話装置１０Ｂの着信応答を認識する。したがって、着側電話装置１０Ｂ側で着側交換機２００から通知される発側電話装置１０Ａの電話番号及び発信者名を表示部に表示するようにすれば、着側電話装置１０Ｂ側では着信に応答する前に誰からの着信であるかを容易に識別することができる。
【００１２】
次に、図５（ｂ）はＩＳＤＮ回線の場合の動作を示すシーケンス図である。ＩＳＤＮ回線の場合は、着側電話装置１０Ｂへの着信時にまず着側交換機２００から、「ＣＮＧ」（“発番号情報要素”）と、「ＣＲＩ−ＩＮＶ（Caller Related Infomation-INV）」（発信者関連文字情報オペレーション）を含んだ「ＦＡＣ」（“ファシリティ”）情報要素とからなる「ＳＥＴＵＰ」（「呼設定」メッセージ）をＩＳＤＮ回線を介して着側電話装置１０ＢにステップＳ１１で送信する。
【００１３】
すると、着側電話装置１０Ｂはこの「呼設定」メッセージを識別して、「ＣＡＬＬＰＲＯＣ」（「呼設定受付」メッセージ）をステップＳ１２で着側交換機２００に送信するとともに、続いてステップＳ１３及びＳ１４でそれぞれ、「ＡＬＥＲＴ」（「呼出」メッセージ）及び「ＣＯＮＮ」（「応答」メッセージ）を着側交換機２００へ送信する。着側交換機２００は、これらのメッセージを受信すると、「ＣＯＮＮＡＣＫ」（「応答確認」メッセージ）を着側電話装置１０Ｂへ返送する。したがって、着側電話装置１０Ｂ側で着側交換機２００からの「呼設定」メッセージに含まれる、“発番号情報要素”中の発番号（発信者電話番号）と、“ファシリティ”情報要素の「ＣＲＩ−ＩＮＶ」内の発信者名とを表示部に表示するようにすれば、着側電話装置１０Ｂ側では着信に応答する前に誰からの着信であるかを容易に識別することができる。
【００１４】
図１（ａ）は本発明に係る電話装置の第１の構成例を示すブロック図であり、発信者の電話番号と名前（発信者名）とが通知されるアナログ回線（外線）Ｌ１，Ｌ２に接続された単独電話機の例である。
この電話装置１０は、外線Ｉ／Ｆ１と、通話回路２と、制御部３とからなり、制御部３には、発信者名と着信音メロディとが対に登録されたテーブル４Ａを有するメモリ４と、表示部５と、複数のメロディＩＣからなる着信音回路６と、着信時に着信音回路６からの着信メロディを着信音として送出するスピーカ６Ａと、機能キー８と、ダイヤルキー７等が接続される。
【００１５】
外線Ｉ／Ｆ１には、外線（回線）Ｌ１，Ｌ２に到来する着信信号を検出する着信検出回路１１と、回線Ｌ１，Ｌ２の直流ループの開放状態を検出する開ループ検出回路１２と、回線Ｌ１，Ｌ２のリバースを検出するリバース検出回路１３と、回線Ｌ１，Ｌ２の直流ループを閉結するための図示しないスイッチ素子等からなるループ閉結回路１４と、回線Ｌ１，Ｌ２へ送出するダイヤル信号を生成するダイヤル回路１５と、回線Ｌ１，Ｌ２からのモデム信号を受信するモデム１６と、トランスＴが設けられている。
【００１６】
電話装置１０は、利用者により発信操作が行われると、制御部３はループ閉結回路１４を駆動して回線Ｌ１，Ｌ２の直流ループを閉結した後、操作された相手電話番号をダイヤル回路１５に送出することによりこの電話番号に応じたダイヤル信号を生成させ、ループ閉結回路１４を介して回線Ｌ１，Ｌ２側へ送出させる。これにより、相手の呼出が行われ相手の呼出への応答により発信通話が可能になる。
【００１７】
一方、相手端末（発側電話装置）側からの着信時には、図５（ａ）に示すように、まず着側交換機２００から１６Ｈｚの受信端末起動信号が回線Ｌ１，Ｌ２に到来する。この受信端末起動信号は電話装置１０の着信検出回路１１で検出されて制御部３に出力される。この場合、制御部３は、ループ閉結回路１４を駆動する。すると、ループ閉結回路１４の前記スイッチ素子の接点が閉結されることにより、回線Ｌ１とＬ２間が、回線Ｌ１→トランスＴ→ループ閉結回路１４の前記スイッチ素子→回線Ｌ２の経路で接続され、回線Ｌ１，Ｌ２の直流ループが閉結される（一次応答信号）。着側交換機２００は一次応答信号を検出すると、前述したように発信者電話番号及び発信者名をモデム信号により通知する。
【００１８】
着側交換機２００からのモデム信号は直流ループが閉結された回線Ｌ１，Ｌ２に到来しモデム１６により受信される。電話装置１０の制御部３はモデム１６により受信された発信者電話番号及び発信者名を入力すると表示部５に表示するとともに、ループ閉結回路１４を駆動して前記スイッチ素子の接点を開放することにより、回線Ｌ１，Ｌ２の直流ループを開放する（受信完了信号）。すると、着側交換機２００は、この受信完了信号に基づき電話装置１０側へ１６Ｈｚの呼出信号を送出する。この呼出信号は着信検出回路１１で検出されて制御部３に伝達され、この場合制御部３は着側交換機２００から受信した発信者名とテーブル４Ａの登録内容に基づいて着信音回路６を駆動し、受信した発信者名に応じた着信音メロディを着信音回路６から出力させスピーカ６Ａからその着信音メロディを送出させることにより、利用者に対して誰からの着信であるかを報知する。
【００１９】
この着信音鳴動により利用者が着信に気づきこの着信に応答するためにオフフックすると、図示しないフックスイッチにより回線Ｌ１，Ｌ２の直流ループが閉結され、これが二次応答信号として着側交換機２００で検出されることにより、利用者の着信応答通話が実現される。
なお、本電話装置１０がＩＳＤＮ回線に接続される場合は、図１の外線Ｉ／Ｆ１の代わりにＩＳＤＮ回線Ｉ／Ｆ部を設け、このＩＳＤＮ回線Ｉ／Ｆ部が着側交換機２００と図５（ｂ）のシーケンスに基づく処理を行うことにより、同様に着側交換機２００から通知される発信者電話番号及び発信者名を受信できるとともに、「呼設定受付」メッセージ（受信完了）を着側交換機２００へ返送することができる。
図１（ｂ）は上記テーブル４Ａの構成を示す図であり、テーブル４Ａには着信時に着側交換機２００から通知される各発信者名に対応してそれぞれ異なる着信音メロディの曲名が予め登録されている。
【００２０】
図２（ａ）は、本発明に係る電話装置としてのコードレス電話装置の構成を示すブロック図である。
コードレス電話装置は、図２（ａ）に示すように、アナログ回線Ｌ１，Ｌ２に接続される親機２０と、親機２０と無線接続される子機３０とからなる。親機２０には、外線Ｉ／Ｆ２１と、通話回路２２と、子機３０と無線通信を行うための無線送受信部２３と、制御部２４とが設けられ、制御部２４には、発信者名と着信鳴動電話機と着信音メロディとが対に登録されたテーブル２５Ａを有するメモリ２５、表示部２６、複数のメロディＩＣからなる着信音回路２７、着信時に着信音回路２７からの着信メロディを着信音として送出するスピーカ２７Ａ、ダイヤルキー２８、機能キー２９等が接続される。一方子機３０には、親機２０と無線通信を行うための無線送受信部３１と、通話回路３２と、制御部３３とが設けられ、制御部３３には、メモリ３４、表示部３５、複数のメロディＩＣからなる着信音回路３６、着信時に着信音回路３６からの着信メロディを着信音として送出するスピーカ３６Ａ、ダイヤルキー３７、機能キー３８等が接続される。ここで、親機２０の外線Ｉ／Ｆ２１は、図１の電話装置１０の外線Ｉ／Ｆ１と同様構成であり、親機２０の外線Ｉ／Ｆ２１及び制御部２４が着側交換機２００と図５（ａ）のシーケンスに基づく処理を行うことにより、同様に着側交換機２００から通知される発信者電話番号及び発信者名を受信し、かつその受信完了信号を着側交換機２００へ伝達することができる。
【００２１】
そして、この受信完了信号の伝達により、着側交換機２００から呼出信号が到来すると、この呼出信号は外線Ｉ／Ｆ２１の着信検出回路１１により同様に検出され制御部２４に伝達される。この場合、制御部２４は、着側交換機２００から受信した発信者名とテーブル２５Ａの登録内容とに基づいて、着信先の電話機を決定するとともに着信音メロディを決定する。ここで、着信先の電話機が親機２０の場合は、受信した発信者電話番号及び発信者名を表示部２６に表示するとともに、決定した着信音メロディを着信音回路２７から出力させスピーカ２７Ａからその着信音メロディを送出させる。また、着信先の電話機が子機３０場合は、受信した発信者電話番号及び発信者名と、決定した着信音メロディに応じた曲名データとを子機３０に送って子機３０の制御部３３により表示部３５にその発信者電話番号及び発信者名を表示させるとともに、該当曲名の着信音メロディを着信音回路３６から出力させスピーカ３６Ａからその着信音メロディを送出させる。こうして、親機２０または子機３０の一方で着信鳴動し、親機２０または子機３０の何れかの利用者が着信応答すると、着信応答した機器を介して通話が行われる。
【００２２】
なお、親機２０がＩＳＤＮ回線に接続される場合は、図２（ａ）の外線Ｉ／Ｆ２１の代わりにＩＳＤＮ回線Ｉ／Ｆ部を設け、このＩＳＤＮ回線Ｉ／Ｆ部が着側交換機２００と図５（ｂ）のシーケンスに基づく処理を行うことにより、同様に着側交換機２００から通知される発信者電話番号及び発信者名を受信できるとともに、「呼設定受付」メッセージ（受信完了）を着側交換機２００へ返送することができる。
図２（ｂ）は上記テーブル２５Ａの構成を示す図であり、テーブル２５Ａには着信時に着側交換機２００から通知される各発信者名に対応してそれぞれ異なる着信鳴動電話機と着信音メロディの曲名が予め登録されている。
【００２３】
図３（ａ）は、本発明に係る電話装置としてのボタン電話装置の構成を示すブロック図である。
ボタン電話装置は、図３（ａ）に示すように、主装置５０と子機（ボタン電話機）６０ａ〜６０ｎとからなる。主装置５０には、アナログ回線Ｌａ〜Ｌｍにそれぞれ接続される図１の電話装置１０の外線Ｉ／Ｆ１と同様構成の外線Ｉ／Ｆ５１ａ〜５１ｍと、外線Ｌａ〜Ｌｍと子機６０ａ〜６０ｎ間の通話パスを形成するための通話路スイッチ５２と、子機６０ａ〜６０ｎのインタフェースである内線Ｉ／Ｆ５３と、ボタン電話装置全体を制御するための制御部５４と、発信者名と着信鳴動子機と着信音メロディとが対に登録されたテーブル５５Ａを有するメモリ５５とが設けられる。
【００２４】
また、子機６０には、主装置５０とデータ伝送を行うための伝送回路６１と、通話回路６２と、子機全体を制御する制御部６３と、メモリ６４と、表示部６５と、複数のメロディＩＣからなる着信音回路６６と、着信時に着信音回路６６からの着信メロディを着信音として送出するスピーカ６６Ａと、ダイヤルキー６７と、機能キー６８とが設けられる。
【００２５】
ボタン電話装置では、主装置５０の外線Ｉ／Ｆ５１ａ〜５１ｍ及び制御部５４が着側交換機２００と図５（ａ）のシーケンスに基づく処理を行うことにより、同様に着側交換機２００から通知される発信者電話番号及び発信者名を受信し、かつその受信完了信号を着側交換機２００へ伝達する。
【００２６】
そして、この受信完了信号の伝達により、着側交換機２００から呼出信号が到来すると、この呼出信号は外線Ｉ／Ｆ５１の着信検出回路１１により同様に検出され制御部５４に伝達される。この場合、制御部５４は、着側交換機２００から受信した発信者名とテーブル５５Ａの登録内容とに基づいて、着信先の子機を決定するとともに着信音メロディを決定する。ここで、着信先の子機が例えば子機６０ｎの場合は、受信した発信者電話番号及び発信者名と、決定した着信音メロディに応じた曲名データとを子機６０ｎに送って子機６０ｎの制御部６３により表示部６５にその発信者電話番号及び発信者名を表示させるとともに、該当曲名の着信音メロディを着信音回路６６から出力させスピーカ６６Ａからその着信音メロディを送出させる。こうして着信音が鳴動した子機６０ｎの利用者が着信応答すると、応答データが主装置５０側へ返送され、主装置５０の制御部５４がこれを受信して通話路スイッチ５２を制御することにより、着信応答した子機６０ｎを介して通話が行われる。
【００２７】
なお、主装置５０の通話路スイッチとして、Ｔ（タイム）スイッチを設け、かつこのＴスイッチと各外線Ｉ／Ｆ５１ａ〜５１ｍ間の通話パス、及びＴスイッチと内線Ｉ／Ｆ５３間の通話パスとして周知のハイウェイバスを用いるようようにして、制御部５４がＴスイッチを制御することにより、時分割による通話パスの接続制御を行うようにしても良い。
また、主装置５０がＩＳＤＮ回線に接続される場合は、図３（ａ）の外線Ｉ／Ｆ５１の代わりにＩＳＤＮ回線Ｉ／Ｆ部を設け、このＩＳＤＮ回線Ｉ／Ｆ部が着側交換機２００と図５（ｂ）のシーケンスに基づく処理を行うことにより、同様に着側交換機２００から通知される発信者電話番号及び発信者名を受信できるとともに、「呼設定受付」メッセージ（受信完了）を着側交換機２００へ返送することができる。
図３（ｂ）は上記テーブル５５Ａの構成を示す図であり、テーブル５５Ａには着信時に着側交換機２００から通知される各発信者名に対応してそれぞれ異なる着信鳴動子機と着信音メロディの曲名が予め登録されている。
【００２８】
図６は、本発明の要部機能を説明する図である。この説明図にしたがって本発明の要部動作を説明する。
ここで、発側交換機１００に接続される発側電話装置１０Ａは、図１の電話装置１０，図２のコードレス電話装置及び図３のボタン電話装置の何れであってもよい。また、着側交換機２００に接続される着側電話装置１０Ｂについても図１の電話装置１０，図２のコードレス電話装置及び図３のボタン電話装置の何れであってもよい。ただし、着側電話装置１０Ｂとして図１の電話装置１０，図２のコードレス電話装置及び図３のボタン電話装置を用いた場合は、それぞれ機能動作が多少異なるため、まず第１の実施の形態では、図１の電話装置１０を着側電話装置１０Ｂとして用いた場合の動作について説明する。なお、上記第１の実施の形態及び後述する第２，第３の実施の形態では発側電話装置１０Ａとしては図１の電話装置１０を用いることにする。
【００２９】
（第１の実施の形態）
発側電話装置１０Ａは、発信者電話番号と発信者名を着信側へ通知するサービスの契約が行われた電話装置である。ここで、図６に示すように、発側電話装置１０Ａの加入者番号である発信者電話番号をＡ（０３−ａａａａ−ａａａａ）とし、かつこの発側電話装置１０Ａを利用する利用者、すなわち前記発信者名として、発信者契約社名Ｂ、花子（発信者の妻）Ｃ、太郎（発信者の長男）Ｄが存在するものとする。また、着側交換機２００に接続される発信者名ＤＢ（発信者名データベース）３００内には前記サービスを契約した契約者のデータベースである契約者ＤＢ３００Ａが設けられ、契約者ＤＢ３００Ａには、前記サービスの契約が行われた発信者電話番号Ａに対応して、発信者契約社名Ｂ、花子（発信者の妻）Ｃ、太郎（発信者の長男）Ｄが登録されている。なお、着側電話装置１０Ｂの電話番号（着信者側電話番号）をＥ（０６−ｂｂｂｂ−ｂｂｂｂ）とする。
【００３０】
発信者である花子（発信者の妻）Ｃが着側電話装置１０Ｂ宛に発信する場合は、自身を発信者として指定するためにオフフックしたのち、ステップＳ２１で機能キー８を押下しさらにダイヤルキー７中の数字キー「１」を押下する。そしてその後、ダイヤルキー７により着信者側電話番号Ｅを操作する。この場合、発側交換機１００では、前記数字キー「１」に応じた発信者指定情報▲１▼と発信者電話番号Ａと着信者側電話番号ＥとをステップＳ２２で着側交換機２００へ送信する。
【００３１】
着側交換機２００では、発信者指定情報▲１▼と発信者電話番号Ａと着信者側電話番号Ｅとを受信すると、発信者名ＤＢ３００に対し発信者指定情報▲１▼と発信者電話番号ＡとをステップＳ２３で転送する。発信者名ＤＢ３００では、転送されてきた発信者電話番号Ａ及び発信者指定情報▲１▼をもとに、契約者ＤＢ３００Ａ内の発信者名を検索する。ここで、契約者ＤＢ３００Ａには図６に示すように、発信者指定情報▲１▼に対応して発信者名「花子（発信者妻）Ｃ」が登録されていることから、発信者名ＤＢ３００は、検索結果の発信者名として、花子（発信者妻）ＣをステップＳ２４で着側交換機２００に転送する。
【００３２】
着側交換機２００は、着信者側電話番号Ｅに基づく着側電話装置１０Ｂへの着信の際のステップＳ２５において、発側交換機１００からの発信者電話番号Ａと発信者名ＤＢ３００からの発信者名「花子（発信者妻）Ｃ」を着側電話装置１０Ｂに通知する。
【００３３】
着側電話装置１０Ｂである電話装置１０の制御部３は、着側交換機２００から通知された発信者電話番号Ａ及び発信者名「花子（発信者妻）Ｃ」を受信すると、表示部５に表示するとともに、図１（ｂ）のテーブル４Ａの登録内容にしたがって、花子（発信者妻）Ｃに応じた○△曲を着信音メロディとして選択する。そして、選択した着信音メロディに一致する着信音回路６内のメロディＩＣを駆動して前記○△曲をスピーカ６Ａに出力させることにより、スピーカ６Ａから○△曲を着信音として送出させる。着側電話装置１０Ｂの利用者は前記○△曲を聴取することにより、花子（発信者妻）Ｃからの電話であることを認識できる。
【００３４】
一方、利用者である太郎（発信者の長男）Ｄが発側電話装置１０Ａから着側電話装置１０Ｂ宛に発信する場合も自身が発信者であることを指定するために同様に、オフフックしたのち、機能キー８を押下しさらにダイヤルキー７中の数字キー「２」を押下する。そしてその後、ダイヤルキー７により着信者側電話番号Ｅを操作する。この場合、発側交換機１００では前記数字キー「２」に応じた発信者指定情報▲２▼と発信者電話番号Ａと着信者側電話番号Ｅとを着側交換機２００へ送信する。
【００３５】
着側交換機２００では、発信者指定情報▲２▼と発信者電話番号Ａと着信者側電話番号Ｅとを受信すると、発信者名ＤＢ３００に対し発信者指定情報▲２▼と発信者電話番号Ａを転送する。発信者名ＤＢ３００では、転送されてきた発信者電話番号Ａ及び発信者指定情報▲２▼をもとに、契約者ＤＢ３００Ａ内の発信者名を検索するが、契約者ＤＢ３００Ａには、発信者指定情報▲２▼に対応して発信者名「太郎（発信者長男）Ｄ」が登録されていることから、発信者名ＤＢ３００は、検索結果の発信者名として、太郎（発信者長男）Ｄを着側交換機２００に転送する。
【００３６】
着側交換機２００は、着側電話装置１０Ｂへの着信の際には、同様に発側交換機１００からの発信者電話番号Ａと発信者名ＤＢ３００からの発信者名「太郎（発信者長男）Ｄ」を着側電話装置１０Ｂに通知する。着側電話装置１０Ｂでは、着側交換機２００から通知された発信者電話番号Ａ及び発信者名を同様に表示部５に表示する。また、この場合、図１（ｂ）のテーブル４Ａの登録内容にしたがい、太郎（発信者長男）Ｄに応じた△○曲を着信音メロディとして選択し着信音として出力させる。これにより、着側電話装置１０Ｂの利用者は太郎（発信者長男）Ｄからの電話であることを認識できる。
【００３７】
なお、利用者が自身を指定せずに発側電話装置１０Ａから着側電話装置１０Ｂ宛に発信した場合は、着側交換機２００から発信者電話番号Ａのみが発信者名ＤＢ３００に転送されるため、発信者名ＤＢ３００は図４の場合と同様に発信者契約社名Ｂを検索結果として着側交換機２００へ返送し、この結果、着側交換機２００から着側電話装置１０Ｂへ発信者電話番号Ａと発信者契約社名Ｂが通知される。この場合、着側電話装置１０Ｂでは、着側交換機２００から通知された発信者電話番号Ａ及び発信者名を同様に表示部５に表示するとともに、図１（ｂ）のテーブル４Ａの登録内容にしたがい、発信者契約社名Ｂに応じた○○曲を着信音メロディとして選択し着信音として出力させる。
【００３８】
（第２の実施の形態）
次に第２の実施の形態では、着側電話装置１０Ｂとして図２のコードレス電話装置を用いた場合の動作について説明する。
利用者が発側電話装置１０Ａから自身が発信者であることを指定して着側電話装置１０Ｂ宛に発信する場合の動作は第１の実施の形態と同様であり、同様にオフフックしたのち、自身を指定するために機能キー８を押下しさらにダイヤルキー７中の指定数字キーを押下する。そしてその後、ダイヤルキー７により着信者側電話番号Ｅを操作する。この場合、発側交換機１００は同様に指定数字キーに応じた発信者指定情報と発信者電話番号Ａと着信者側電話番号Ｅとを着側交換機２００へ送信する。
【００３９】
着側交換機２００は、同様に発信者指定情報と発信者電話番号Ａを発信者名ＤＢ３００へ転送して、この発信者電話番号Ａ及び発信者指定情報をもとに、契約者ＤＢ３００Ａ内の発信者名を検索させ、検索結果を取得する。そして、取得した検索結果の発信者名と発側交換機１００からの発信者電話番号Ａを着側電話装置１０Ｂへの着信の際に着側電話装置１０Ｂに通知する。
【００４０】
着側電話装置１０Ｂであるコードレス電話装置では親機２０の制御部２４が外線Ｉ／Ｆ２１を介してこの発信者電話番号Ａ及び発信者名を受信する。この場合、制御部２４は、受信した発信者名と図２（ｂ）のテーブル２５Ａの登録内容とに基づき着信鳴動電話機と着信音メロディとを選択する。ここで、受信した発信者名が「花子（発信者妻）Ｃ」の場合は、着信鳴動電話機は図２（ｂ）に示すように親機２０であり、かつ着信音メロディは○△曲であるため、制御部２４は、受信した発信者電話番号Ａ及び発信者名を親機２０の表示部２６に表示するとともに、その曲名データに一致する親機２０の着信音回路２７内のメロディＩＣを駆動して前記○△曲をスピーカ２７Ａに出力させることにより、スピーカ２７Ａから○△曲を着信音として送出させる。
【００４１】
一方、受信した発信者名が「太郎（発信者長男）Ｄ」の場合は、着信鳴動電話機は図２（ｂ）に示すように子機３０であり、かつ着信音メロディは△○曲であるため、制御部２４は、受信した発信者電話番号Ａ及び発信者名を子機３０に送って子機３０の制御部３３により子機３０の表示部３５に表示させる。また、制御部２４は、△○曲に相当する曲名データを子機３０に送って子機３０の制御部３３により、その曲名データに一致する子機３０の着信音回路３６内のメロディＩＣを駆動して前記△○曲をスピーカ３６Ａに出力させることにより、スピーカ３６Ａから△○曲を着信音として送出させる。
このように、発信側で発信者名を指定することにより、着信側に指定された発信者名が通知され、着信側では、通知された発信者名に応じて親機２０または子機３０の何れかを着信鳴動させ、かつ着信音メロディを発信者名に応じて変えるようにしたものである。これにより、コードレス電話装置の利用者は、自身宛の着信か否かを容易に識別することができ、利用者の利便性が向上する。
【００４２】
（第３の実施の形態）
次に第３の実施の形態では、着側電話装置１０Ｂとして図３のボタン電話装置を用いた場合の動作について説明する。
利用者が発側電話装置１０Ａから自身が発信者であることを指定して着側電話装置１０Ｂ宛に発信する場合の動作は第１の実施の形態と同様であり、同様にオフフックしたのち、自身を指定するために機能キー８を押下しさらにダイヤルキー７中の指定数字キーを押下する。そしてその後、ダイヤルキー７により着信者側電話番号Ｅを操作する。この場合、発側交換機１００は同様に指定数字キーに応じた発信者指定情報と発信者電話番号Ａと着信者側電話番号Ｅとを着側交換機２００へ送信する。
【００４３】
着側交換機２００は、同様に発信者指定情報と発信者電話番号Ａを発信者名ＤＢ３００へ転送して、この発信者電話番号Ａ及び発信者指定情報をもとに、契約者ＤＢ３００Ａ内の発信者名を検索させ、検索結果を取得する。そして、取得した検索結果の発信者名と発側交換機１００からの発信者電話番号Ａを着側電話装置１０Ｂへの着信の際に着側電話装置１０Ｂに通知する。
【００４４】
着側電話装置１０Ｂであるボタン電話装置では主装置５０の制御部５４が外線Ｉ／Ｆ５１を介してこの発信者電話番号Ａ及び発信者名を受信する。この場合、制御部５４は、受信した発信者名と図３（ｂ）のテーブル５５Ａの登録内容とに基づき着信鳴動子機と着信音メロディとを選択する。ここで、受信した発信者名が「花子（発信者妻）Ｃ」の場合は、着信鳴動子機は図３（ｂ）に示すように子機６０ａであり、かつ着信音メロディは○△曲であるため、制御部５４は、受信した発信者電話番号Ａ及び発信者名を子機６０ａに送って子機６０ａの制御部６３により子機６０ａの表示部６５に表示させる。また、主装置５０の制御部５４は、○△曲に相当する曲名データを子機６０ａに送って子機６０ａの制御部６３により、その曲名データに一致する子機６０ａの着信音回路６６内のメロディＩＣを駆動して前記○△曲をスピーカ３６Ａに出力させることにより、スピーカ３６Ａから○△曲を着信音として送出させる。
【００４５】
一方、受信した発信者名が「太郎（発信者長男）Ｄ」の場合は、着信鳴動子機は図３（ｂ）に示すように子機６０ｎであり、かつ着信音メロディは△○曲であるため、主装置５０の制御部５４は、受信した発信者電話番号Ａ及び発信者名を子機６０ｎに送って子機６０ｎの制御部６３により子機６０ｎの表示部６５に表示させる。また、制御部５４は、△○曲に相当する曲名データを子機６０ｎに送って子機６０ｎの制御部６３により、その曲名データに一致する子機６０ｎの着信音回路６６内のメロディＩＣを駆動して前記△○曲をスピーカ６６Ａに出力させることにより、スピーカ６６Ａから△○曲を着信音として送出させる。
このように、発信側で発信者名を指定することにより、着信側に指定された発信者名が通知され、着信側では、通知された発信者名に応じて子機６０ａ〜６０ｎの何れかを着信鳴動させ、かつ着信音メロディを発信者名に応じて変えるようにしたものである。これにより、ボタン電話装置の利用者は、自身宛の着信か否かを容易に識別することができ、利用者の利便性が向上する。
【００４６】
なお、第２及び第３の実施の形態では、着側交換機２００から通知された発信者名に応じた子機のみに発信者電話番号Ａ及び発信者名を表示しているが、発信者電話番号Ａ及び発信者名は他の子機にも表示するようにしても良い。
【００４７】
【発明の効果】
以上説明したように本発明によれば、発信側の情報を着信側の電話端末に通知可能な交換機に回線を介して電話装置を接続するとともに、前記電話装置は、利用者の電話端末宛への発信の際に電話端末宛に通知する発信側の情報を指定する指定操作を含む発信操作を検出すると、電話端末との間の接続を行う接続信号及び指定操作に基づく指定情報を回線に送出するようにしたので、この電話装置からの指定情報に基づく発信者名が交換機から前記発信側の情報として着信側の電話端末へ通知され、かつ発信側の電話番号も通知されるため、発信者の発信時には着信側に対し、発信者電話番号とともに発信側で指定した名前を通知することができる。
【００４８】
また、本発明は、少なくとも１つ以上の発信側の情報が前記発信側の電話番号に関連づけて登録されたデータベースに交換機を接続し、かつ交換機は、着信側へ通知されるべき発信側の情報が指定された指定情報と発信側の電話番号を検出すると、検出した指定情報及び発信側の電話番号をデータベースに転送して、指定情報及び発信側の電話番号に応じた発信側の情報を検索させるとともに、前記検索結果に応じた発信側の情報を入力して前記電話番号とともに着信側へ通知するようにしたので、発信者の発信時には着信側に対し、同様に発信者電話番号とともに発信側で指定した名前を通知することができる。
【００４９】
また、本発明は、発信側の指定操作に基づき指定された前記発信側の情報を着信側に通知可能な交換機に着信側の端末として電話装置を接続し、かつ電話装置は、交換機から通知された発信側の情報に応じて着信音を制御するようにしたので、発信者の発信時には着信側に対し、同様に発信者電話番号とともに発信側で指定した名前を通知できるとともに、着信側では通知された名前に応じて着信音が制御されることから、着信側では誰からの電話であるかを容易に識別できる。
【００５０】
この場合、電話装置に子機を収容するとともに、前記電話装置に発信側の情報と着信音鳴動子機とを関連づけて登録したテーブルを設け、テーブルに登録された各子機のうち交換機から通知された発信側の情報に応じた子機の着信音を鳴動させるようにしたので、各子機の利用者は自身宛の着信を容易に識別できる。
また、交換機から通知された発信側の情報に応じて着信音のメロディを変えるようにしたので、同様に利用者は自身宛の着信を容易に識別できる。
【００５１】
また、本発明は、前述のように構成された交換機と、交換機に発信側の端末として接続された第１の電話装置と、交換機に着信側の端末として接続された第２の電話装置とからシステムを構成し、第１の電話装置は、第２の電話装置宛への発信の際に第２の電話装置宛に通知されるべき発信側の情報を指定する指定操作を含む発信操作を検出する第１の検出手段と、第１の検出手段により発信操作が検出されると、第２の電話装置との間の接続を行う接続信号及び指定操作に基づく指定情報を交換機に送出する送出手段とを有し、交換機は、送出手段による接続信号の送出時に発信側の電話番号を検出するとともに、送出手段により送出された指定情報を検出する第２の検出手段と、第２の検出手段により検出された指定情報及び発信側の電話番号をデータベースに転送して、指定情報及び発信側の電話番号に応じた発信側の情報を検索させるとともに、検索結果に応じた発信側の情報を入力して着信側へ通知する通知手段とを有し、かつ第２の電話装置は、交換機から通知された発信側の情報に応じて着信音を制御する着信音制御手段を有するようにしたので、発信者の発信時には着信側に対し、同様に発信者電話番号とともに発信側で指定した名前を通知することができる。また、着信側では誰からの電話であるかを容易に識別できる。
【図面の簡単な説明】
【図１】  本発明に係る電話装置の構成を示すブロック図（図１（ａ））及び上記電話装置のテーブルの構成を示す図（図１（ｂ））である。
【図２】  本発明を適用したコードレス電話装置の構成を示すブロック図（図２（ａ））及び上記コードレス電話装置のテーブルの構成を示す図（図２（ｂ））である。
【図３】  本発明を適用したボタン電話装置の構成を示すブロック図（図３（ａ））及び上記ボタン電話装置のテーブルの構成を示す図（図３（ｂ））である。
【図４】  発側電話装置の発信時に発側電話装置の情報が着側電話装置側へ通知される状況を示す図である。
【図５】  着信時に着側交換機と着側電話装置間で送受される信号のシーケンスを示す図である。
【図６】  本発明の要部機能を説明する図である。
【符号の説明】
１，２１，５１ａ〜５１ｍ…外線Ｉ／Ｆ、２，２２，３２，６２…通話回路、Ｔ…送話器、Ｒ…受話器、３，２４，３３，５４，６３…制御部、４，２５，３４，５５，６４…メモリ、４Ａ，２５Ａ，５５Ａ…テーブル、５，２６，３５，６５…表示部、６，２７，３６，６６…着信音回路、６Ａ，２７Ａ，３６Ａ，６６Ａ…スピーカ、７，２８，３７，６７…ダイヤルキー、８，２９，３８，６８…機能キー、１０…電話装置、１１…着信検出回路、１２…開ループ検出回路、１４…ループ閉結回路、１５…ダイヤル回路、１６…モデム、２０…親機、３０…子機、２３，３１…無線送受信部、５０…主装置、５２…通話路スイッチ、５３…内線Ｉ／Ｆ、６１…伝送回路、１００…発側交換機、２００…着側交換機、３００…発信者名データベース、３００Ａ…契約者データベース。
【図１】
0003921983.tif 000002
【図２】
0003921983.tif 000003
【図３】
0003921983.tif 000004
【図４】
0003921983.tif 000005
【図５】
0003921983.tif 000006
【図６】
0003921983.tif 000007